(57)【要約】【課題】画像表示装置の表示特性の高精度な判断と、画像表示装置の周辺の高精度な撮影とを、簡易な構成で両立できる技術を提供する。【解決手段】本発明の情報処理装置は、撮影画像である第１画像が所定露出の撮影画像であるか否かの判断の結果を取得する第１取得手段と、第１画像が所定露出の撮影画像でない場合に、第１画像が所定露出の撮影画像であるか否かの判断の結果に基づいて、所定露出の撮影画像が得られるように、輝度設定値を変更する変更手段と、輝度設定値が変更された後の撮影画像である第２画像から判断された画像表示装置の表示特性を示す情報を取得する第２取得手段と、変更前の輝度設定値、変更後の輝度設定値、及び、第２画像から判断された表示特性に基づいて、輝度設定値が変更される前の画像表示装置の表示特性を判断する判断手段と、を有する。【選択図】図１
2017098691.tif 000002
【特許請求の範囲】
【請求項１】
画像表示装置とその周辺とを撮影する撮影装置の撮影画像である第１画像が所定露出の撮影画像であるか否かの判断の結果を取得する第１取得手段と、
前記第１画像が前記所定露出の撮影画像でない場合に、前記第１画像が前記所定露出の撮影画像であるか否かの判断の結果に基づいて、前記撮影装置の撮影画像として前記所定露出の撮影画像が得られるように、前記画像表示装置の画面の輝度に関する設定値である輝度設定値を変更する第１変更手段と、
前記第１変更手段によって前記輝度設定値が変更された後の前記撮影装置の撮影画像である第２画像から判断された前記画像表示装置の表示特性を示す情報を取得する第２取得手段と、
前記第１変更手段による変更前の輝度設定値、前記第１変更手段による変更後の輝度設定値、及び、前記第２画像から判断された前記表示特性に基づいて、前記第１変更手段によって前記輝度設定値が変更される前の前記画像表示装置の表示特性を判断する判断手段と、
を有することを特徴とする情報処理装置。
【請求項２】
前記第１取得手段は、前記画像表示装置が表示を行っていない状態における前記撮影装置の撮影画像である第３画像が前記所定露出の撮影画像であるか否かの判断の結果をさらに取得し、
前記情報処理装置は、前記第３画像が前記所定露出の撮影画像でない場合に、前記第３画像が前記所定露出の撮影画像であるか否かの判断の結果に基づいて、前記第３画像として前記所定露出の撮影画像が得られるように、前記撮影装置の撮影パラメータを変更する第２変更手段、を有し、
前記第１画像と前記第２画像は、前記第２変更手段による変更後の撮影パラメータを用いて得られた撮影画像である
ことを特徴とする請求項１に記載の情報処理装置。
【請求項３】
前記画像表示装置の周辺の明るさが変化したか否かの判断の結果を取得する第３取得手段、を有し、
前記第１取得手段は、前記画像表示装置の周辺の明るさが変化した場合に、前記画像表示装置の周辺の明るさが変化した後の第３画像が前記所定露出の撮影画像であるか否かの判断の結果を取得し、
前記第２変更手段は、前記画像表示装置の周辺の明るさが変化した後の前記第３画像が前記所定露出の撮影画像でない場合に、前記画像表示装置の周辺の明るさが変化した後の前記第３画像として前記所定露出の撮影画像が得られるように、前記撮影装置の撮影パラメータを変更する
ことを特徴とする請求項２に記載の情報処理装置。
【請求項４】
前記第３取得手段は、前記画像表示装置の周辺の明るさの情報を取得し、取得した情報に基づいて、前記画像表示装置の周辺の明るさが変化したか否かを判断する
ことを特徴とする請求項３に記載の情報処理装置。
【請求項５】
前記画像表示装置の周辺の明るさを検出するセンサを有し、
前記第３取得手段は、前記センサの検出値に基づいて、前記画像表示装置の周辺の明るさが変化したか否かを判断する
ことを特徴とする請求項３または４に記載の情報処理装置。
【請求項６】
前記第１取得手段は、前記撮影装置の撮影画像を取得し、取得した撮影画像に基づいて、前記取得した撮影画像が前記所定露出の撮影画像であるか否かを判断する
ことを特徴とする請求項１〜５のいずれか１項に記載の情報処理装置。
【請求項７】
前記第２取得手段は、前記第２画像を取得し、前記第２画像に基づいて前記画像表示装置の表示特性を判断する
ことを特徴とする請求項１〜６のいずれか１項に記載の情報処理装置。
【請求項８】
前記第２画像は、所定のパターン画像が前記画面に表示された状態における前記撮影装置の撮影画像であり、
前記第２取得手段は、前記所定のパターン画像の撮影結果に基づいて、前記画像表示装置の表示特性を判断する
ことを特徴とする請求項７に記載の情報処理装置。
【請求項９】
前記判断手段によって判断された前記表示特性が所定の表示特性でない場合に、ユーザに所定の情報を通知する通知手段、を有する
ことを特徴とする請求項１〜８のいずれか１項に記載の情報処理装置。
【請求項１０】
前記判断手段によって判断された前記表示特性が所定の表示特性でない場合に、前記判断手段によって判断された前記表示特性が前記所定の表示特性に近づくように、前記画像表示装置の表示特性のキャリブレーションを行う較正手段、を有する
ことを特徴とする請求項１〜９のいずれか１項に記載の情報処理装置。
【請求項１１】
前記画像表示装置は、発光部と、前記発光部から発せられた光を変調することにより前記画面に画像を表示する表示部とを有し、
前記輝度設定値は、前記発光部の発光輝度に関する設定値である
ことを特徴とする請求項１〜１０のいずれか１項に記載の情報処理装置。
【請求項１２】
前記画像表示装置の表示特性は、前記画面の輝度に関する特性である
ことを特徴とする請求項１〜１１のいずれか１項に記載の情報処理装置。
【請求項１３】
画像表示装置とその周辺とを撮影する撮影装置の撮影画像である第１画像が所定露出の撮影画像であるか否かの判断の結果を取得する第１取得ステップと、
前記第１画像が前記所定露出の撮影画像でない場合に、前記第１画像が前記所定露出の撮影画像であるか否かの判断の結果に基づいて、前記撮影装置の撮影画像として前記所定露出の撮影画像が得られるように、前記画像表示装置の画面の輝度に関する設定値である輝度設定値を変更する変更ステップと、
前記変更ステップによって前記輝度設定値が変更された後の前記撮影装置の撮影画像である第２画像から判断された前記画像表示装置の表示特性を示す情報を取得する第２取得ステップと、
前記変更ステップによる変更前の輝度設定値、前記変更ステップによる変更後の輝度設定値、及び、前記第２画像から判断された前記表示特性に基づいて、前記変更ステップによって前記輝度設定値が変更される前の前記画像表示装置の表示特性を判断する判断ステップと、
を有することを特徴とする情報処理方法。
【請求項１４】
請求項１３に記載の情報処理方法の各ステップをコンピュータに実行させることを特徴とするプログラム。
【発明の詳細な説明】
【技術分野】
【０００１】
本発明は、情報処理装置に関する。
【背景技術】
【０００２】
画像表示装置の表示特性、表示特性の変化、等を、撮影装置（カメラ）を用いて判断（検出）する技術がある。例えば、特許文献１には、画像表示装置に表示されたカラーチャートをカメラで撮影し、画像表示装置のプロファイルを生成する技術が開示されている。
【０００３】
また、防犯等の目的で、監視カメラが設置され、監視カメラを用いて室内の状況が常時または定期的に監視されることがある。監視対象の室内の照明環境は、部屋の使用状況に依存して変化する。そのため、感度調整機能を有する監視カメラが使用されることがある。
【０００４】
そして、上述したような監視カメラを用いて画像表示装置の表示特性を判断する方法が考えられる。しかしながら、そのような方法では、監視カメラの感度が一定である場合に、画像表示装置の表示特性の高精度な判断と、画像表示装置の周辺の高精度な撮影とを両立することができない。例えば、室内が暗く、且つ、室内を高精度に撮影できるように監視カメラの感度が高い値に調整された場合に、監視カメラの感度が高すぎて、画面を高精度に撮影できず、表示特性を高精度に判断できないことがある。また、室内が暗く、且つ、画面を高精度に撮影できるように監視カメラの感度が低い値に調整された場合に、監視カメラの感度が低すぎて、室内を高精度に撮影できず、室内の監視が行えなくなることがある。
【０００５】
ここで、カメラのレンズの前に調光部を設け、レンズの入射光量を部分的に調整することにより、撮影画像の階調値の飽和と、撮影装置の感度の不足とを抑制する技術が提案されている（特許文献２）。しかしながら、この技術では、レンズの入射光量を部分的に調整できる特別な調光部が必要であるため、装置の構成、装置の制御、システムの構成、システムの制御、等が複雑になってしまう。
【先行技術文献】
【特許文献】
【０００６】
【特許文献１】特開２００７−２０８６２９号公報
【特許文献２】特開２００７−２０８６１０号公報
【発明の概要】
【発明が解決しようとする課題】
【０００７】
本発明は、画像表示装置の表示特性の高精度な判断と、画像表示装置の周辺の高精度な撮影とを、簡易な構成で両立できる技術を提供することを目的とする。
【課題を解決するための手段】
【０００８】
本発明の第１の態様は、
画像表示装置とその周辺とを撮影する撮影装置の撮影画像である第１画像が所定露出の撮影画像であるか否かの判断の結果を取得する第１取得手段と、
前記第１画像が前記所定露出の撮影画像でない場合に、前記第１画像が前記所定露出の撮影画像であるか否かの判断の結果に基づいて、前記撮影装置の撮影画像として前記所定露出の撮影画像が得られるように、前記画像表示装置の画面の輝度に関する設定値である輝度設定値を変更する第１変更手段と、
前記第１変更手段によって前記輝度設定値が変更された後の前記撮影装置の撮影画像である第２画像から判断された前記画像表示装置の表示特性を示す情報を取得する第２取得手段と、
前記第１変更手段による変更前の輝度設定値、前記第１変更手段による変更後の輝度設定値、及び、前記第２画像から判断された前記表示特性に基づいて、前記第１変更手段によって前記輝度設定値が変更される前の前記画像表示装置の表示特性を判断する判断手段と、
を有することを特徴とする情報処理装置である。
【０００９】
本発明の第２の態様は、
画像表示装置とその周辺とを撮影する撮影装置の撮影画像である第１画像が所定露出の撮影画像であるか否かの判断の結果を取得する第１取得ステップと、
前記第１画像が前記所定露出の撮影画像でない場合に、前記第１画像が前記所定露出の撮影画像であるか否かの判断の結果に基づいて、前記撮影装置の撮影画像として前記所定露出の撮影画像が得られるように、前記画像表示装置の画面の輝度に関する設定値である輝度設定値を変更する変更ステップと、
前記第１変更ステップによって前記輝度設定値が変更された後の前記撮影装置の撮影画像である第２画像から判断された前記画像表示装置の表示特性を示す情報を取得する第２取得ステップと、
前記第１変更ステップによる変更前の輝度設定値、前記第１変更ステップによる変更後の輝度設定値、及び、前記第２画像から判断された前記表示特性に基づいて、前記第１変更ステップによって前記輝度設定値が変更される前の前記画像表示装置の表示特性を判断する判断ステップと、
を有することを特徴とする情報処理方法である。
【００１０】
本発明の第３の態様は、上述した情報処理方法の各ステップをコンピュータに実行させることを特徴とするプログラムである。
【発明の効果】
【００１１】
本発明によれば、画像表示装置の表示特性の高精度な判断と、画像表示装置の周辺の高精度な撮影とを、簡易な構成で両立できる。
【図面の簡単な説明】
【００１２】
【図１】実施例１に係る表示特性判断システムの構成の一例を示すブロック図
【図２】実施例１に係る表示特性判断システムの処理フローの一例を示すフロー図
【図３】図２のＳ２００の処理フローの一例を示すフロー図
【図４】実施例１に係る撮影画像データの階調値のヒストグラムの一例を示す図
【図５】図２のＳ１２００の処理フローの一例を示すフロー図
【図６】実施例１に係る階調値とＥｖ値と表示輝度の対応関係の一例を示す図
【図７】実施例２に係る表示特性判断システムの構成の一例を示すブロック図
【図８】実施例３に係る表示特性判断システムの構成の一例を示すブロック図
【図９】実施例３に係る表示特性判断システムの処理フローの一例を示すフロー図
【発明を実施するための形態】
【００１３】
＜実施例１＞
以下、本発明の実施例１について説明する。本実施例に係る情報処理装置は、画像表示装置の表示特性を判断する装置である。画像表示装置の表示特性は、例えば、表示輝度（画面の輝度）に関する特性、表示色（画面の色）に関する特性、等を含む。表示輝度に関する特性は、例えば、入力画像データ（画像表示装置に入力された画像データ）の画素値または階調値と、表示輝度との対応関係、表示輝度のムラ（分布）、等を含む。表示色に
関する特性は、例えば、入力画像データの画素値と表示色との対応関係、表示色のムラ、等を含む。
【００１４】
図１は、本実施例に係る表示特性判断システムの構成の一例を示すブロック図である。本実施例に係る表示特性判断システムは、画像表示装置１００と撮影装置２００を有する。本実施例に係る表示特性判断システムとしては、例えば、撮影装置２００が周辺（周囲）の状況を監視する監視システムを使用することができる。なお、本実施例では、画像表示装置１００が情報処理装置（情報処理装置の機能）を有する例を説明するが、これに限らない。例えば、情報処理装置は、撮影装置２００に設けられていてもよいし、画像表示装置１００及び撮影装置２００とは別体の装置であってもよい。
【００１５】
撮影装置（カメラ）２００は、画像表示装置１００と、その周辺とを撮影する。
【００１６】
画像表示装置１００は、画面に画像を表示する。本実施例では、画像表示装置１００が透過型の液晶表示装置である場合の例を説明するが、画像表示装置１００は透過型の液晶表示装置に限らない。画像表示装置１００は、発光部と、発光部からの光を画像データに基づいて変調することにより画面に画像を表示する表示部と、を有する他の画像表示装置であってもよい。例えば、画像表示装置１００は、反射型の液晶表示装置であってもよい。画像表示装置１００は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。また、画像表示装置１００は、有機ＥＬ表示装置、プラズマ表示装置、プロジェクタ、等であってもよい。
【００１７】
画像表示装置１００は、バックライト部１０１、液晶パネル１０２、制御部１０３、及び、選択部１０４を有する。バックライト部１０１は、１つ以上の光源を有する発光部である。光源としては、発光ダイオード（ＬＥＤ）、有機ＥＬ素子、冷陰極管、等を使用することができる。バックライト部１０１から発せられた光は、液晶パネル１０２の背面に照射される。液晶パネル１０２は、バックライト部１０１からの光を透過することにより、画面に画像を表示する。
【００１８】
制御部１０３は、種々の制御を行う。例えば、制御部１０３は、画像表示装置１００の不図示の記憶部が記憶するプログラムを記憶部から読み出して実行することにより、種々の制御を行う。なお、制御部１０３は、画像表示装置１００の動作のみを制御してもよいし、画像表示装置１００の動作と撮影装置２００の動作との両方を制御してもよい。
【００１９】
選択部１０４は、画面に表示する画像データを選択し、選択した画像データ（選択画像データ）を液晶パネル１０２に出力する。それにより、液晶パネル１０２では、選択画像データに基づいて、液晶パネル１０２が有する各液晶素子の透過率が制御される。その結果、バックライト部１０１からの光が選択画像データに基づく透過率で液晶パネル１０２をとおり、選択画像データに基づく画像が画面に表示される。本実施例では、制御部１０３は、所定のパターン画像を表すパターン画像データを選択部１０４に出力する。選択部１０４は、例えば、入力画像を表す入力画像データと、パターン画像データとの一方が選択される。
【００２０】
本実施例に係る情報処理装置は、画像表示装置１００が表示を行っていない状態で撮影装置２００が画像表示装置１００の周辺を高精度に撮影できるように、撮影装置２００の撮影パラメータを変更（調整）する。「撮影装置２００が画像表示装置１００の周辺を高精度に撮影できる」は、例えば、「画像表示装置１００の周辺の撮影画像データとして、白とび、黒つぶれ、等が少ない（無い）画像データを得ることができる」を意味する。撮影画像データは、撮影によって生成された画像データである。
【００２１】
次に、情報処理装置は、画像表示装置１００に表示を行わせ、撮影装置２００に撮影を行わせる。その結果、撮影画像データとして、第１画像データが得られる。そして、情報処理装置は、第１画像データが所定露出（適正露出）の撮影画像データであるか否かの判断の結果を取得する（第１取得処理）。情報処理装置は、第１画像データが所定露出の撮影画像データでない場合に、輝度設定値を変更（調整）する（第１変更処理）。
【００２２】
輝度設定値は、画像表示装置の画面の輝度に関する設定値である。輝度設定値としては、画像データの階調値と、画像表示装置１００の表示素子（液晶素子、ＭＥＭＳシャッター、有機ＥＬ素子、プラズマ素子、等）を駆動する駆動信号との対応関係に関する設定値を使用することができる。輝度設定値として、発光部（バックライト部１０１）の発光輝度に関する設定値を使用することもできる。本実施例では、バックライト部１０１の発光輝度に関する設定値が、輝度設定値として使用される。
【００２３】
本実施例では、第１画像データが所定露出の撮影画像データであるか否かの判断の結果に基づいて、撮影装置２００の撮影画像データとして所定露出の撮影画像データが得られるように、輝度設定値が変更される。その結果、撮影装置２００の撮影画像データとして所定露出の撮影画像データが得られるように、表示輝度が変更される。具体的には、輝度設定値が変更されることにより、バックライト部１０１の発光輝度が変更される。その結果、表示輝度が変更される。
【００２４】
そして、情報処理装置は、輝度設定値が変更された後の撮影装置２００の撮影画像データである第２画像データから判断された画像表示装置１００の表示特性を示す情報を取得する（第２取得処理）。
【００２５】
その後、変更前の輝度設定値、変更後の輝度設定値、及び、第２画像データから判断された表示特性に基づいて、輝度設定値が変更される前の画像表示装置１００の表示特性を判断（逆算）する。
【００２６】
以上の処理によれば、画像表示装置の表示特性の高精度な判断と、画像表示装置の周辺の高精度な撮影とを、簡易な構成で両立できる。例えば、画像表示装置１００の周辺が暗い場合に、画像表示装置１００（画面）の周辺において黒つぶれが少ない撮影画像データを得ることができる。さらに、画像表示装置１００の周辺が暗い場合に、画面の領域において白とびが少ない撮影画像データを得ることができるため、画像表示装置の表示特性を高精度に判断することができる。
【００２７】
本実施例に係る表示特性判断システムの処理フローについて、図２を用いて説明する。図２は、本実施例に係る表示特性判断システムの処理フローの一例を示すフローチャートである。図２の処理フローの実行タイミングは特に限定されない。図２の処理フローは、例えば、定期的に行われたり、表示特性判断（図２の処理フロー）の実行を指示するユーザ操作に応じて行われたりする。表示特性判断システムに対するユーザ操作は、画像表示装置１００に対するユーザ操作であってもよいし、撮影装置２００に対するユーザ操作であってもよい。
【００２８】
まず、Ｓ１００にて、画像表示装置１００が表示を停止する。例えば、画像表示装置１００の電源のＯＦＦ、黒画像の表示、等により、画像表示装置１００の表示が停止される。黒画像の表示は、例えば、バックライト部１０１を消灯すること、液晶パネル１０２の透過率を下限値へ制御すること、等により実現できる。本実施例では、制御部１０３が、画像表示装置１００の表示を停止する制御を行う。具体的には、制御部１０３が、バックライト部１０１を消灯させるＢＬ制御信号をバックライト部１０１に送信する。それによ
り、バックライト部１０１が消灯し、画像表示装置１００の表示が停止される。なお、撮影装置２００の不図示の制御部によって、画像表示装置１００の表示を停止する制御が行われてもよい。ユーザ操作に応じて、画像表示装置１００の表示を停止する制御が行われてもよい。
【００２９】
次に、Ｓ２００にて、制御部１０３は、画像表示装置１００が表示を行っていない状態における撮影装置２００の撮影画像データである第３画像データを、撮影装置２００から取得する。Ｓ２００の処理フローについて、図３を用いて説明する。図３は、Ｓ２００の処理フローの一例を示すフローチャートである。まず、Ｓ２０１にて、制御部１０３は、カメラ制御信号を撮影装置２００に送信する。次に、Ｓ２０２にて、撮影装置２００は、カメラ制御信号の受信に応じて撮影を行う。それにより、第３画像データが生成される。そして、Ｓ２０３にて、制御部１０３は、Ｓ２０２で生成された第３画像データを撮影装置２００から受信する。
【００３０】
なお、第３画像データを生成するための撮影は、ユーザ操作に応じて行われてもよい。図２の処理フローの実行中において、撮影装置２００による撮影は常に行われていてもよい。そして、Ｓ２００の処理として、Ｓ１００の処理の後に生成された撮影画像データを制御部１０３が撮影装置２００から取得する処理が行われてもよい。
【００３１】
Ｓ２００の次に、Ｓ３００にて、制御部１０３は、第３画像データに基づいて、第３画像データが所定露出の撮影画像データであるか否かを判断する。そして、制御部１０３は、第３画像データが所定露出の撮影画像データでない場合に、撮影装置２００の撮影パラメータを変更（調整）する（第２変更処理）。具体的には、第３画像データが所定露出の撮影画像データであるか否かの判断の結果に基づいて、撮影装置２００の撮影画像データとして所定露出の撮影画像データが得られるように、撮影パラメータが変更される。それにより、画像表示装置１００が表示を行っていない状態で撮影装置２００が画像表示装置１００の周辺を高精度に撮影可能な撮影パラメータが設定される。本実施例では、撮影パラメータとして、画像データの露出に関する撮影パラメータである露出値（Ｅｖ値）が使用される。
【００３２】
本実施例では、以下の式１を用いて、第３画像データが所定露出の撮影画像データであるか否かが判断される。式１において、「Ｐｍｉｎ」は、撮影画像データの階調値の最小値（最小階調値）であり、「Ｃ」は、最小階調値の目標値である。式１が満たされる場合に、第３画像データが所定露出の撮影画像データであると判断され、式１が満たされない場合に、第３画像データが所定露出の撮影画像データでないと判断される。そして、式１が満たされない場合に、式１が満たされるように、Ｅｖ値が変更される。具体的には、以下の式２を用いて、変更後のＥｖ値が決定される。式２において、「ΔＥｖ」は、変更後のＥｖ値から変更前のＥｖ値を減算した値（差分値）であり、「ｌｏｇ」は、底を２とする対数関数である。
Ｐｍｉｎ＝Ｃ  ・・・（式１）
ΔＥｖ＝ｌｏｇ（Ｐｍｉｎ／Ｃ）  ・・・（式２）
【００３３】
ここで、変更前のＥｖ値＝５、ΔＥｖ＝最小階調値Ｐｍｉｎ＝８０、及び、目標値Ｃ＝１０の場合を考える。この場合には、式１が満たされないため、第３画像データが所定露出の撮影画像データでないと判断される。そして、式２から、差分値ΔＥｖ＝ｌｏｇ（８０／１０）＝３が得られる。その結果、変更後のＥｖ値＝５＋３＝８が得られる。
【００３４】
なお、第３画像データが所定露出の撮影画像データであるか否かの判断の方法は、上記
方法に限らない。また、撮影パラメータの種類、撮影パラメータの変更方法、等も、上記方法に限らない。例えば、最小階調値の代わりに、所定の階調値を有する画素の数、所定の分位数に対応する階調値を有する画素の数、等を用いて、第３画像データが所定露出の撮影画像データであるか否かの判断、撮影パラメータの変更、等が行われてもよい。撮影画像データの階調値の特徴量の代わりに、撮影画像データの輝度値の特徴量が使用されてもよい。また、第３画像データが所定露出の撮影画像データであるか否かは、式１とは異なる式を用いて判断されてもよい。撮影パラメータは、式２とは異なる式を用いて変更されてもよい。
【００３５】
なお、第３画像データが所定露出の撮影画像データであるか否かの判断は、画像表示装置１００以外の装置で行われてもよい。例えば、第３画像データが所定露出の撮影画像データであるか否かの判断は、撮影装置２００で行われてもよい。そして、制御部１０３は、第３画像データが所定露出の撮影画像データであるか否かの判断の結果を外部装置から取得してもよい。その場合には、制御部１０３は、第３画像データを取得しなくてもよい。
【００３６】
なお、画像表示装置１００が表示を行っていない状態で撮影装置２００が画像表示装置１００の周辺を高精度に撮影可能な撮影パラメータは、撮影装置２００の設置時、撮影装置２００の製造時、等において撮影装置２００に予め設定されてもよい。その場合には、Ｓ１００〜Ｓ３００の処理は不要となる。
【００３７】
Ｓ３００の次に、Ｓ４００にて、画像表示装置１００が表示を開始する。例えば、画像表示装置１００の電源のＯＮ、黒画像以外の画像の表示、等により、画像表示装置１００の表示が開始される。黒画像以外の画像の表示は、例えば、バックライト部１０１を点灯すること、液晶パネル１０２の透過率を選択画像データに基づく透過率へ制御すること、等により実現できる。本実施例では、制御部１０３が、画像表示装置１００の表示を開始する制御を行う。具体的には、制御部１０３が、バックライト部１０１を点灯させるＢＬ制御信号をバックライト部１０１に送信する。それにより、バックライト部１０１が点灯し、画像表示装置１００の表示が開始される。なお、Ｓ４００で表示される画像は特に限定されない。入力画像が表示されてもよいし、所定のパターン画像が表示されてもよい。また、撮影装置２００の不図示の制御部によって、画像表示装置１００の表示を開始する制御が行われてもよい。ユーザ操作に応じて、画像表示装置１００の表示を開始する制御が行われてもよい。
【００３８】
そして、Ｓ５００にて、制御部１０３は、現在の輝度設定値（第１設定値）を取得する。本実施例では、輝度設定値として、バックライト部１０１の発光輝度（発光量）を示す値が得られる。第１設定値は、Ｓ１２００の処理、Ｓ１５００の処理、等において使用される。
【００３９】
次に、Ｓ６００にて、制御部１０３は、所定のパターン画像を画面に表示する表示制御を行う。具体的には、制御部１０３は、パターン画像データを選択部１０４に出力する。そして、制御部１０３が選択部１０４の動作を制御することにより、選択部１０４は、パターン画像データを選択し、パターン画像データを液晶パネル１０２に出力する。その結果、画面に所定のパターン画像が表示される。本実施例では、Ｓ８００の処理、Ｓ９００の処理、Ｓ１２００の処理、等のために所定のパターン画像が表示されるが、これらの処理のために表示される画像は、所定のパターン画像でなくてもよい。なお、所定のパターン画像の表示方法は、上記方法に限らない。例えば、入力画像データにパターン画像データが合成される、入力画像の一部の領域に所定のパターン画像が重ねられた合成画像を表す合成画像データが生成されてもよい。そして、合成画像が画面に表示されることにより、所定のパターン画像が画面に表示されてもよい。
【００４０】
そして、Ｓ７００にて、制御部１０３は、画像表示装置１００が表示を行っている状態における撮影装置２００の撮影画像データを、撮影装置２００から取得する。具体的には、Ｓ７００にて、所定のパターン画像が画面に表示された状態における撮影画像データが、撮影装置２００から取得される。Ｓ３００でＥｖ値が変更された場合、Ｓ７００では、Ｓ３００で変更された後のＥｖ値を用いた撮影が行われる。Ｓ７００の処理方法は、Ｓ２００の処理方法と同じである。本実施例では、Ｓ７００の処理が複数回行われることがある。１回目のＳ７００の処理では、撮影によって第１画像データが生成され、２回目以降のＳ７００の処理では、撮影によって第２画像データが生成される。
【００４１】
次に、Ｓ８００にて、制御部１０３は、Ｓ７００で取得した撮影画像データに基づいて、当該撮影画像データが所定露出の撮影画像データであるか否かを判断する。取得した撮影画像データが所定露出の撮影画像データでない場合には、Ｓ９００に処理が進められ、取得した撮影画像データが所定露出の撮影画像データである場合には、Ｓ１１００に処理が進められる。
【００４２】
本実施例では、撮影画像データの階調値のヒストグラムを用いて、当該撮影画像データが所定露出の撮影画像データであるか否かが判断される。図４（Ａ）〜４（Ｃ）は、撮影画像データの階調値のヒストグラムの一例を示す図である。図４（Ａ）〜４（Ｃ）において、横軸は階調値を示し、縦軸は度数（画素数）を示す。
【００４３】
図４（Ａ）のように、第１階調値以下の階調値の総度数が度数閾値よりも多い場合には、撮影画像データが所定露出よりも低い露出の撮影画像データであると判断される。即ち、露出が露出アンダーであると判断される。露出が露出アンダーである場合には、画像表示装置１００の画面の撮影画像データが、黒つぶれの多い画像データである可能性が高い。図４（Ｂ）のように、第２階調値以上の階調値の総度数が度数閾値よりも多い場合には、撮影画像データが所定露出よりも高い露出の撮影画像データであると判断される。即ち、露出が露出オーバーであると判断される。露出が露出オーバーである場合には、画像表示装置１００の画面の撮影画像データが、白とびの多い画像データである可能性が高い。画像表示装置１００の画面の撮影画像データが、黒つぶれや白とびの多い画像データである場合、当該撮影画像データから画像表示装置１００の表示特性を高精度に判断することはできない。
【００４４】
そして、図４（Ｃ）のように、第１階調値以下の階調値の総度数が度数閾値以下であり、且つ、第２階調値以上の階調値の総度数が度数閾値以下である場合には、撮影画像データが所定露出の撮影画像データであると判断される。即ち、露出が所定露出であると判断される。ここで、露出が所定露出である場合には、画像表示装置１００の画面の撮影画像データ、及び、画像表示装置１００の周辺の撮影画像データとして、白とび、黒つぶれ、等が少ない（無い）画像データを得ることができる。ひいては、撮影画像データから画像表示装置１００の表示特性を高精度に判断することができ、画像表示装置１００の周辺を高精度に撮影することもできる。
【００４５】
なお、第１階調値、第２階調値、及び、度数閾値のそれぞれは、メーカによって予め定められた固定値であってもよいし、ユーザが変更可能な値であってもよいし、画像表示装置１００または撮影装置２００によって自動で決定される値であってもよい。例えば、第１階調値、第２階調値、及び、度数閾値の少なくともいずれかは、画像表示装置１００の周辺の環境（明るさ等）に応じて自動で決定されてもよい。第１階調値以下の階調値の総度数と比較される閾値は、第２階調値以上の階調値の総度数と比較される閾値と異なっていてもよい。
【００４６】
なお、撮影画像データが所定露出の撮影画像データであるか否かの判断の方法は、上記方法に限らない。例えば、階調値のヒストグラムの代わりに、所定の階調値を有する画素の数、所定の分位数に対応する階調値を有する画素の数、階調値の最大値、階調値の平均値、階調値の中間値、階調値の最頻値、等が使用されてもよい。撮影画像データの階調値の特徴量の代わりに、撮影画像データの輝度値の特徴量が使用されてもよい。
【００４７】
なお、撮影画像データが所定露出の撮影画像データであるか否かの判断は、画像表示装置１００以外の装置で行われてもよい。例えば、撮影画像データが所定露出の撮影画像データであるか否かの判断は、撮影装置２００で行われてもよい。そして、制御部１０３は、撮影画像データが所定露出の撮影画像データであるか否かの判断の結果を外部装置から取得してもよい。その場合には、制御部１０３は、撮影画像データを取得しなくてもよい。
【００４８】
Ｓ９００にて、制御部１０３は、Ｓ７００にて所定露出の撮影画像データが得られるように、輝度設定値を変更する。そして、Ｓ１０００にて、制御部１０３は、変更後の輝度設定値を反映する。本実施例では、制御部１０３が輝度設定値を変更することにより、バックライト部１０１の発光輝度が変更される。本実施例では、変更後の輝度設定値を「第２設定値」と記載する。上述した第１設定値は、変更前の輝度設定値である。
【００４９】
Ｓ８００にて露出アンダーが検出された場合には、表示輝度が低すぎるため、制御部１０３は、表示輝度が高められるように輝度設定値を変更する。本実施例では、輝度設定値が大きいほど、バックライト部１０１の発光輝度が高い。Ｓ８００にて露出アンダーが検出された場合には、制御部１０３は、１よりも大きい係数を現在の輝度設定値に乗算する。それにより、バックライト部１０１の発光輝度が高められ、表示輝度が高められる。
【００５０】
Ｓ８００にて露出オーバーが検出された場合には、表示輝度が高すぎるため、制御部１０３は、表示輝度が低減されるように輝度設定値を変更する。本実施例では、Ｓ８００にて露出オーバーが検出された場合には、制御部１０３は、１よりも小さい係数を現在の輝度設定値に乗算する。それにより、バックライト部１０１の発光輝度が低減され、表示輝度が低減される。
【００５１】
Ｓ１０００の処理の後、Ｓ７００に処理が戻される。そして、所定露出の撮影画像データがＳ７００で取得されるまで、Ｓ７００〜Ｓ１０００の処理が繰り返される。上述したように、所定露出の撮影画像データがＳ７００で取得されると、Ｓ８００からＳ１１００に処理が進められる。
【００５２】
なお、輝度設定値の変更方法は上記方法に限らない。輝度設定値にオフセット値を加算したり、輝度設定値からオフセット値を減算したりすることにより、輝度設定値が変更されてもよい。係数やオフセット値は、メーカによって予め定められた固定値であってもよいし、ユーザが変更可能な値であってもよいし、画像表示装置１００または撮影装置２００によって自動で決定される値であってもよい。例えば、係数やオフセット値は、第１階調値以下の階調値の総度数、第２階調値以上の階調値の総度数、等に基づいて決定および変更されてもよい。撮影画像データの輝度値の平均値（平均輝度値）に基づいて、係数やオフセット値が決定されてもよい。具体的には、露出アンダーが検出された場合に、１より大きく、且つ、平均輝度値が高いほど小さい係数が決定され、露出オーバーが検出された場合に、１より小さく、且つ、平均輝度値が高いほど小さい係数が決定されてもよい。撮影画像データに基づいて係数やオフセット値を変更することにより、Ｓ７００〜Ｓ１０００の処理の繰り返し回数を減らすことができる。
【００５３】
Ｓ１１００にて、制御部１０３は、所定のパターン画像を画面から消去する表示制御を
行う。例えば、制御部１０３が選択部１０４の動作を制御することにより、選択部１０４は、入力画像データを選択し、入力画像データを液晶パネル１０２に出力する。その結果、所定のパターン画像の表示から、入力画像の表示に、画像表示装置１００の表示が切り替えられる。
【００５４】
次に、Ｓ１２００にて、制御部１０３は、第１設定値に対応する画像表示装置１００の表示特性を判断する。第１設定値に対応する表示特性は、第１設定値に応じた表示を画像表示装置１００が行った場合における表示特性である。
【００５５】
Ｓ１２００の処理フローについて、図５を用いて説明する。図５は、Ｓ１２００の処理フローの一例を示すフローチャートである。
【００５６】
Ｓ１２０１とＳ１２０２の処理により、Ｓ７００で取得された撮影画像データに基づいて、現在の輝度設定値に対応する画像表示装置１００の表示特性が判断される。本実施例では、所定のパターン画像の撮影結果に基づいて、現在の輝度設定値に対応する画像表示装置１００の表示特性が判断される。ここで、Ｓ７００の処理が１回だけ行われた後に、Ｓ８００からＳ１１００に処理が進められた場合を考える。この場合には、Ｓ７００で取得された撮影画像データ（第１画像データ）に基づいて、第１設定値に対応する表示特性が判断される。次に、Ｓ７００の処理が複数回行われた後に、Ｓ８００からＳ１１００に処理が進められた場合を考える。この場合には、最後のＳ７００で取得された撮影画像データ（第２画像データ）に基づいて、最後のＳ９００で得られた輝度設定値（第２設定値）に対応する表示特性が判断される。第２設定値に対応する表示特性は、第２設定値に応じた表示を画像表示装置１００が行った場合における表示特性である。
【００５７】
具体的には、Ｓ１２０１にて、制御部１０３は、Ｓ７００で得られた撮影画像データから、所定のパターン画像の撮影画像データ（パターン撮影画像データ）を抽出する。パターン撮影画像データの抽出方法は特に限定されない。例えば、画像表示装置１００において、所定のパターン画像の縁に、識別用パターン画像（赤ライン等）がさらに表示されてもよい。そして、Ｓ７００で得られた撮影画像データが表す画像（撮影画像）から識別用パターン画像が検出され、識別用パターン画像の検出結果に基づいてパターン撮影画像データが抽出されてもよい。所定のパターン画像の表示位置と、撮影装置２００の撮影範囲とが固定である場合には、所定の領域を撮影した画像データを、パターン撮影画像データとして抽出することができる。
【００５８】
次に、Ｓ１２０２にて、制御部１０３は、Ｓ１２０１で抽出したパターン撮影画像データに基づいて、現在の輝度設定値に対応する画像表示装置１００の表示特性を判断する。本実施例では、制御部１０３は、現在の輝度設定値に応じた表示を画像表示装置１００が行った場合における画像表示装置１００の表示輝度を判断する。具体的には、制御部１０３は、現在の輝度設定値に応じた表示を画像表示装置１００が行った場合における所定のパターン画像の表示輝度を判断する。
【００５９】
本実施例では、撮影画像データの階調値、Ｅｖ値、及び、表示輝度の対応関係を示す情報が予め用意されている。制御部１０３は、パターン撮影画像データの階調値と、現在のＥｖ値との組み合わせに対応する表示輝度を、現在の輝度設定値に対応する表示輝度として、上記対応関係を示す情報から取得する。パターン撮影画像データの階調値の平均値を用いることにより、所定のパターン画像の平均の表示輝度を得ることができる。パターン撮影画像データが表す画像の中心の階調値を用いることにより、所定のパターン画像の中心の表示輝度を得ることができる。パターン撮影画像データが表す画像の複数の階調値（複数の位置に対応する複数の階調値）を用いることにより、所定のパターン画像の表示輝度の分布を得ることができる。
【００６０】
図６は、撮影画像データの階調値、Ｅｖ値、及び、表示輝度の対応関係の一例を示す。図６の対応関係を示す情報が使用された場合には、Ｅｖ値＝４、且つ、階調値＝３０に対応する表示輝度として、１．７［ｃｄ／ｍ２］が得られる。なお、撮影画像データの階調値、Ｅｖ値、及び、表示輝度の対応関係を示す情報は、テーブルであってもよいし、関数であってもよい。なお、上記対応関係を示す情報では、Ｅｖ値と階調値の一部の組み合わせについてのみ表示輝度が示されていてもよい。上記対応関係に示されていない組み合わせに対応する表示輝度は、例えば、上記対応関係に示された値を用いた補間によって算出することができる。
【００６１】
なお、Ｓ１２０１の処理とＳ１２０２の処理との少なくとも一方は、画像表示装置１００以外の装置で行われてもよい。例えば、Ｓ１２０１の処理とＳ１２０２の処理との両方が、撮影装置２００で行われてもよい。そして、制御部１０３は、現在の輝度設定値に対応する画像表示装置１００の表示特性の判断結果を外部装置から取得してもよい。
【００６２】
上述したように、Ｓ１２０２では、表示特性の判断結果として、第２設定値に対応する表示特性を示す情報が得られることがある。そこで、本実施例では、Ｓ１２０２の次に、Ｓ１２０３の処理が行われる。Ｓ１２０３にて、制御部１０３は、第１設定値、現在の輝度設定値、及び、Ｓ１２０２で判断された表示特性に基づいて、第１設定値に対応する画像表示装置１００の表示特性を判断する。具体的には、制御部１０３は、第１設定値と、現在の輝度設定値とに基づいて、Ｓ１２０２で判断された表示特性を、第１設定値に対応する表示特性に変換する。本実施例では、第１設定値に対応する表示特性として、第１設定値に応じた表示を画像表示装置１００が行った場合における画像表示装置１００の表示輝度が得られる。なお、Ｓ１２０２で判断された表示特性が、第１設定値に対応する表示特性である場合には、Ｓ１２０２の処理は省略されてもよい。具体的には、Ｓ７００の処理が１回だけ行われた後に、Ｓ８００からＳ１１００に処理が進められた場合には、Ｓ１２０２の処理は省略されてもよい。
【００６３】
本実施例では、以下の式３を用いて、Ｓ１２０２で得られた表示輝度Ｌ２が、第１設定値に対応する表示輝度Ｌ１に変換される。式３において、「Ｅ１」は第１設定値であり、「Ｅ２」は現在の輝度設定値である。なお、表示輝度Ｌ１の算出式は、式３に限らない。
Ｌ１＝Ｌ２×Ｅ１／Ｅ２  ・・・（式３）
【００６４】
Ｓ１２００の次に、Ｓ１３００にて、制御部１０３は、Ｓ１２００で判断された表示特性（第１設定値に対応する表示特性）が所定の表示特性であるか否かを判断する。Ｓ１２００で判断された表示特性が所定の表示特性である場合には、Ｓ１５００に処理が進められ、Ｓ１２００で判断された表示特性が所定の表示特性でない場合には、Ｓ１４００に処理が進められる。例えば、制御部１０３は、第１設定値に対応する表示輝度が所定の範囲内の輝度であるか否かを判断する。第１設定値に対応する表示輝度が所定の範囲内の輝度である場合には、Ｓ１５００に処理が進められ、第１設定値に対応する表示輝度が所定の範囲内の輝度でない場合には、Ｓ１４００に処理が進められる。
【００６５】
Ｓ１４００にて、制御部１０３は、所定の情報をユーザに通知する。ユーザへの情報の通知は、画像表示、音声出力、ランプの点灯、等によって実現される。所定の情報としては、例えば、表示特性が所定の表示特性でないことを示す情報、表示特性のキャリブレーションが必要であることを示す情報、表示色や表示輝度が不適切であることを示す情報、等が使用される。その後、Ｓ１５００に処理が進められる。
【００６６】
Ｓ１５００にて、制御部１０３は、輝度設定値として第１設定値を設定する。即ち、輝度設定値が第１設定値から第２設定値に変更された場合に、制御部１０３は、輝度設定値を第２設定値から第１設定値に戻す。輝度設定値が第１設定値から第２設定値に変更されなかった場合には、Ｓ１５００の処理は省略されてもよい。Ｓ７００の処理が１回だけ行われた後に、Ｓ８００からＳ１１００に処理が進められた場合には、Ｓ１５００の処理は省略されてもよい。
【００６７】
以上述べたように、本実施例によれば、撮影画像として所定露出の撮影画像が得られるように、輝度設定値が変更される。そして、輝度設定値が変更された後の撮影画像から判断された表示特性、変更前の輝度設定値、及び、変更後の輝度設定値に基づいて、輝度設定値が変更される前の表示特性が判断される。それにより、画像表示装置の表示特性の高精度な判断と、画像表示装置の周辺の高精度な撮影とを、簡易な構成（上述した簡易な処理）で両立できる。例えば、特別な調光部を用いることなく、画像表示装置の表示特性の高精度な判断と、画像表示装置の周辺の高精度な撮影とを両立できる。
【００６８】
なお、本実施例では、判断された表示特性が所定の表示特性でない場合に所定の情報がユーザに通知される例を説明したが、これに限らない。例えば、判断された表示特性が所定の表示特性でない場合に、制御部１０３が、判断された表示特性が所定の表示特性に近づくように、画像表示装置１００の表示特性のキャリブレーション（較正）を行ってもよい。情報の通知と、キャリブレーションとの一方が行われてもよいし、情報の通知と、キャリブレーションとの両方が行われてもよい。キャリブレーションを実行するか否かをユーザに確認してもよい。そして、キャリブレーションの実行を指示するユーザ操作に応じて、キャリブレーションを実行してもよい。キャリブレーションの方法としては、種々の従来技術を使用することができる。
【００６９】
＜実施例２＞
以下、本発明の実施例２について説明する。実施例１では、画像表示装置が情報処理装置（情報処理装置の機能）を有する例を説明した。本実施例では、画像表示装置とは異なる装置が情報処理装置を有する例を説明する。なお、以下では、実施例１と異なる構成や処理について詳しく説明し、実施例１と同様の構成や処理についての説明は省略する。
【００７０】
図７は、本実施例に係る表示特性判断システムの構成の一例を示すブロック図である。本実施例に係る表示特性判断システムは、画像表示装置１００、撮影装置２００、及び、サーバ３００を有する。本実施例では、サーバ３００が情報処理装置（情報処理装置の機能）を有する。サーバ３００は、例えば、ＬＡＮ等のネットワークを介して画像表示装置１００と撮影装置２００に接続されている。サーバ３００は、ネットワークを介さずに画像表示装置１００と撮影装置２００に直接接続されてもよい。
【００７１】
本実施例に係る表示特性判断システムの処理フローは、実施例１（図２，３，５）と同じである。但し、撮影画像の露出が所定露出であるか否かの判断結果の取得、輝度設定値の変更、表示の制御、撮影の制御、撮影パラメータの変更、表示特性の判断、ユーザ通知の制御、キャリブレーションの制御、等は、サーバ３００によって行われる。
【００７２】
例えば、図２のＳ１００にて、サーバ３００は、バックライト部１０１を消灯させるＢＬ制御信号を、画像表示装置１００の制御部１０３に送信する。制御部１０３は、受信したＢＬ制御信号をバックライト部１０１に送信する。それにより、バックライト部１０１が消灯し、画像表示装置１００の表示が停止される。同様に、バックライト部１０１を点灯させるＢＬ制御信号をサーバ３００が画像表示装置１００に送信することにより、画像表示装置１００の表示が開始される。
【００７３】
Ｓ２００にて、サーバ３００は、カメラ制御信号を撮影装置２００に送信する。そして、サーバ３００は、撮影画像データ（第３画像データ）を撮影装置２００から取得する。同様に、サーバ３００は、第１画像データや第２画像データを撮影装置から取得する。
【００７４】
Ｓ６００にて、サーバ３００は、所定のパターンを表示させる表示制御信号を制御部１０３に送信する。制御部１０３は、表示制御信号の受信に応じて、パターン画像データを選択部１０４に送信し、選択部１０４の処理を制御する。それにより、選択部１０４は、パターン画像データを選択し、パターン画像データを液晶パネル１０２に出力する。その結果、画面に所定のパターン画像が表示される。同様に、所定のパターンを消去させる表示制御信号をサーバ３００が制御部１０３に送信することにより、画面から所定のパターン画像が消去され、画面に入力画像が表示される。
【００７５】
以上述べたように、本実施例によれば、画像表示装置とは異なる装置によって、情報処理装置の機能（実施例１と同様の機能）が実現される。それにより、画像表示装置の処理負荷を低減することができる。また、本実施例によれば、サーバによって情報処理装置の機能が実現される。それにより、複数の画像表示装置や複数の撮影装置を用いたシステムにおいて、１つのサーバで、全ての画像表示装置の表示特性と、全ての撮影装置の撮影結果とを監視することができる。そのため、システムの管理を効率よく行うことができる。
【００７６】
なお、サーバ３００で行われる一部の処理が、画像表示装置１００や撮影装置２００で行われてもよい。例えば、撮影装置２００からサーバ３００を介して画像表示装置１００に撮影画像データが送信され、画像表示装置１００の制御部１０３により、撮影画像データの露出が所定露出であるか否かの判断が行われてもよい。また、撮影画像データの露出が所定露出であるか否かの判断結果の取得、輝度設定値の変更、表示特性の判断、等が、画像表示装置１００や撮影装置で行われてもよい。
【００７７】
＜実施例３＞
以下、本発明の実施例３について説明する。画像表示装置の周辺の明るさが変化すると、撮影画像データの露出が所定露出から変化することがある。本実施例では、画像表示装置の周辺の明るさを考慮した例を説明する。なお、以下では、実施例１と異なる構成や処理について詳しく説明し、実施例１と同様の構成や処理についての説明は省略する。
【００７８】
図８は、本実施例に係る表示特性判断システムの構成の一例を示すブロック図である。本実施例に係る画像表示装置１００は、光センサ１０５をさらに有する。光センサ１０５は、画像表示装置１００の周辺の明るさを検出する。光センサ１０５としては、輝度センサ、照度センサ、等を使用することができる。本実施例に係る制御部１０３は、実施例１の制御部１０３と同様の機能を有する。但し、本実施例に係る制御部１０３は、以下の処理をさらに行う。
【００７９】
本実施例に係る制御部１０３は、画像表示装置の周辺の明るさが変化したか否かの判断の結果を取得する（第３取得処理）。そして、制御部１０３は、画像表示装置１００の周辺の明るさが変化した場合に、画像表示装置１００の周辺の明るさが変化した後の第３画像データが所定露出の撮影画像データであるか否かの判断の結果を取得する。さらに、制御部１０３は、画像表示装置１００の周辺の明るさが変化した後の第３画像データが所定露出の撮影画像データでない場合に、撮影装置２００の撮影パラメータを変更する。具体的には、制御部１０３は、画像表示装置１００の周辺の明るさが変化した後の第３画像データとして所定露出の撮影画像データが得られるように、撮影装置２００の撮影パラメータを変更する。
【００８０】
本実施例に係る表示特性判断システムの処理フローについて、図９を用いて説明する。
図９は、本実施例に係る表示特性判断システムの処理フローの一例を示すフローチャートである。本実施例では、図９の処理フローは、図２の処理フローと並列に行われる。
【００８１】
まず、Ｓ１６００にて、制御部１０３は、表示特性判断（図２の処理フロー）が開始されたか否かを判断する。表示特性判断が開始された場合には、Ｓ１７００に処理が進められ、表示特性判断が開始されなかった場合には、本処理フローが終了される。
【００８２】
Ｓ１７００にて、制御部１０３は、所定時間だけ待機する。所定時間は、例えば、光センサ１０５が光を検出するのに要する時間である。次に、Ｓ１８００にて、制御部１０３は、光センサ１０５から検出値（画像表示装置１００の周辺の明るさの情報）を取得する。
【００８３】
そして、Ｓ１９００にて、制御部１０３は、Ｓ１８００で取得した検出値に基づいて、画像表示装置１００の周辺の明るさが変化したか否かを判断する。画像表示装置１００の周辺の明るさが変化した場合には、Ｓ２０００に処理が進められ、画像表示装置１００の周辺の明るさが変化していない場合には、Ｓ２１００に処理が進められる。
【００８４】
画像表示装置１００の周辺の明るさが変化したか否かの判断方法は、特に限定されない。例えば、前回取得された検出値と、今回取得された検出値との差分値（第１差分値）が所定の閾値以上である場合に、明るさが変化したと判断することができる。そして、第１差分値が所定の閾値未満である場合に、明るさが変化していないと判断することができる。また、前回までに取得されたＮ個（Ｎは２以上の整数）の検出値の代表値と、今回までに取得されたＮ個の検出値の代表値との差分値（第２差分値）が所定の閾値以上である場合に、明るさが変化したと判断することもできる。そして、第２差分値が所定の閾値未満である場合に、明るさが変化していないと判断することもできる。代表値は、平均値、最大値、最小値、中間値、最頻値、等である。
【００８５】
なお、本実施例では、画像表示装置１００の周辺の明るさの情報として、画像表示装置１００が有する光センサ１０５の検出値を使用する例を説明したが、これに限らない。例えば、画像表示装置１００の周辺の明るさの情報として、画像表示装置１００とは異なる装置によって得られた情報が使用されてもよい。具体的には、画像表示装置１００の周辺の明るさの情報として、画像表示装置１００とは別体の光検出装置によって得られた検出値が使用されてもよい。画像表示装置１００の周辺の明るさの情報として、撮影装置２００が有する光センサによって得られた検出値が使用されてもよい。
【００８６】
なお、画像表示装置１００の周辺の明るさが変化したか否かの判断は、画像表示装置１００以外の装置で行われてもよい。例えば、画像表示装置１００の周辺の明るさが変化したか否かの判断は、撮影装置２００で行われてもよい。そして、制御部１０３は、画像表示装置１００の周辺の明るさが変化したか否かの判断の結果を外部装置から取得してもよい。その場合には、制御部１０３は、光センサ１０５の検出値を取得しなくてもよい。
【００８７】
Ｓ２０００にて、制御部１０３は、図２の処理フローを中断し、図２のＳ１００から図２の処理フローを再開する。その後、Ｓ２１００に処理が進められる。Ｓ２１００にて、制御部１０３は、表示特性判断が終了されたか否かを判断する。表示特性判断が終了された場合には、本処理フローが終了され、表示特性判断が終了されていない場合には、Ｓ１７００に処理が戻される。
【００８８】
以上述べたように、本実施例によれば、画像表示装置の周辺の明るさが変化した場合に、所定露出の撮影画像が得られるように撮影パラメータが変更される。それにより、画像表示装置の周辺の明るさが変化した場合においても、所定露出の撮影画像を得ることがで
きる。その結果、簡易な構成で、画像表示装置の表示特性をより高精度に判断でき、画像表示装置の周辺をより高精度に撮影できる。例えば、第３画像に基づく撮影パラメータの調整後に画像表示装置の周辺の明るさが変化すると、当該調整後に、白とび、黒つぶれ、等が多い撮影画像データが得られることがある。本実施例によれば、画像表示装置の周辺の明るさが変化に応じて撮影パラメータが再度調整されるため、白とび、黒つぶれ、等が少ない撮影画像データをより確実に得ることができる。
【００８９】
なお、図９の処理フローの実行タイミングは特に限定されない。例えば、図２の処理フローが実行されていない期間に図９の処理フローが実行されてもよい。そして、図９のＳ２０００にて、図２のＳ１００〜Ｓ３００の処理のみが行われてもよい。
【００９０】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。例えば、制御部１０３で行わる複数の処理は、複数の機能部によって実現されてもよい。同様に、サーバ３００で行わる複数の処理は、複数の機能部によって実現されてもよい。
【００９１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９２】
１００：画像表示装置  １０３：制御部  ３００：サーバ
【図１】
2017098691.tif 000003
【図２】
2017098691.tif 000004
【図３】
2017098691.tif 000005
【図４】
2017098691.tif 000006
【図５】
2017098691.tif 000007
【図６】
2017098691.tif 000008
【図７】
2017098691.tif 000009
【図８】
2017098691.tif 000010
【図９】
2017098691.tif 000011